(57)【要約】【課題】  ゴルフクラブのスイング速度測定装置を提供する【解決手段】  送信装置から出力する赤外線などの光信号をゴルフクラブが遮断する状態を感知してゴルフクラブのスイング速度を自動的に表示する。そのため、受信装置は各光信号がゴルフクラブによって遮断されると、光信号間距離を光信号が遮断された時間間隔で割ってゴルフクラブのスイング速度を演算した後、その結果を出力する。特に本発明に係る送信装置と受信装置は、独立した別個の装置で構成される。本発明はユーザが姿勢を整えるために打点付近でゴルフクラブを上下左右に振る場合のように、無意味なゴルフクラブの移動は無視し、実際のスイング状態を識別できるのでその動作が安定的である。また、ユーザのバックスイング開始時から正常なスイングがなされる時までのスイングテンポを分かりやすく表示してくれる実施形態では、各ユーザが適したスイングタイミングを探し出すのに役に立つ。【選択図】 図 3
2006026385.tif 000002
【特許請求の範囲】
【請求項１】
複数の光送信部を通して光信号を出力する送信装置と、
前記送信装置と分離された別個の装置で構成され、複数の光受信部を通して前記光送信部が出力する光信号をそれぞれ受信し、前記各光信号の受信状態変化によって前記光信号間距離を意味するもので、既に設定されている一定値（Ｄ）を前記各光信号の受信状態が変化した時間間隔（Ｔｇ）で割って前記ゴルフクラブのスイング速度を演算した後、その結果を出力する受信装置とを含むことを特徴とするゴルフクラブのスイング速度測定装置。
【請求項２】
前記光信号は、赤外線であることを特徴とする請求項１に記載のゴルフクラブのスイング速度測定装置。
【請求項３】
前記受信装置は、
電源を供給する電源部と、
前記光信号をそれぞれ受信する複数の光受信部と、
各光受信部の全てに光信号が受信されているかを判断してその整列状態を表示し、それぞれの光信号受信状態が一定条件を満たす状態に変化するかを判断する受信制御部と、
それぞれの光信号受信状態が前記条件を満たす状態に変化した場合は、既に設定された値（Ｄ）を各光信号の受信状態が変化した時間間隔（Ｔｇ）で割ってスイング速度を演算する演算部と、
前記演算部で演算されたスイング速度を出力する速度表示部とを含むことを特徴とする請求項１に記載のゴルフクラブのスイング速度測定装置。
【請求項４】
前記各光受信部について光信号が正常に受信される状態から遮断状態に変化した後再び正常に受信される場合に、前記条件を満たすと判断することを特徴とする請求項３に記載のゴルフクラブのスイング速度測定装置。
【請求項５】
前記スイング速度の演算は前記各光受信部の全てに光信号が受信されている整列状態でだけなされることを特徴とする請求項３に記載のゴルフクラブのスイング速度測定装置。
【請求項６】
前記演算されたスイング速度は既に規定された範囲内に存在する場合のみ、出力されるよう構成されることを特徴とする請求項３に記載のゴルフクラブのスイング速度測定装置。
【請求項７】
前記整列状態は発光ダイオード（ＬＥＤ）の点灯を通して表示するよう構成されることを特徴とする請求項３に記載のゴルフクラブのスイング速度測定装置。
【請求項８】
前記整列状態は前記速度表示部に、これを知らせるメッセージを出力して表示するように構成されることを特徴とする請求項３に記載のゴルフクラブのスイング速度測定装置。
【請求項９】
前記速度表示部は前記演算されたスイング速度を文字でディスプレイするディスプレイ手段及び音声で出力する音声出力手段のうちいずれか一つ以上を含むことを特徴とする請求項３に記載のゴルフクラブのスイング速度測定装置。
【請求項１０】
前記受信装置は前記光信号がバックスイング方向に遮断された場合は、一定時間間隔でスイングテンポを表示するよう構成されることを特徴とする請求項１に記載のゴルフクラブのスイング速度測定装置。
【請求項１１】
前記受信装置は発光ダイオード（ＬＥＤ）を前記一定時間間隔で点滅させ前記スイングテンポを表示することを特徴とする請求項１０に記載のゴルフクラブのスイング速度測定装置。
【請求項１２】
前記受信装置は前記時間間隔によってカウントされる数字あるいは経過時間を前記速度表示部にディスプレイすることを特徴とする請求項１０に記載のゴルフクラブのスイング速度測定装置。
【請求項１３】
前記受信装置は一定の効果音をスピーカを通して前記時間間隔で出力して前記スイングテンポを表示してくれることを特徴とする請求項１０に記載のゴルフクラブのスイング速度測定装置。
【請求項１４】
前記受信装置は前記光信号がバックスイング方向に遮断されることを感知した後前記スイング速度が出力されたり、あるいは一定時間が経過した場合は前記スイングテンポの表示を中止するよう構成されることを特徴とする請求項１０に記載のゴルフクラブのスイング速度測定装置。
【発明の詳細な説明】
【技術分野】
【０００１】
本発明はゴルフクラブのスイング速度測定装置に係り、特に光信号を送信する送信装置と光信号を受信する受信装置がそれぞれ別の装置として個別に構成され、赤外線などの光信号をゴルフクラブが遮断する状態を感知してゴルフクラブのスイング速度を自動表示してくれる。
【背景技術】
【０００２】
ゴルフの大衆化に伴って、簡単にゴルフ練習が行なえる多くの機器が開発されている。このような機器のうちユーザのスイング姿勢を直すためのものやスイング速度を測定して知らせてくれる装置もある。特に、ゴルフクラブのスイング速度を測定すれば、スイングパワーやゴルフボールの飛距離などの概略が分かるので、ユーザの現在のゴルフの実力を把握し、向上させるのに役に立つ。しかし、従来のゴルフクラブのスイング速度測定装置は、様々な問題点を抱えている。
【０００３】
第１に、ゴルフクラブ自体に速度測定のための手段が含まれる場合は、必ずこのような手段を具備しているゴルフクラブを具備していなければならない不便さがある。特に、フィールドで実際に競技に使われるゴルフクラブとその重さや構造などが相異なるとフィールドにおけるスイング感覚と違ってくる問題点が発生する恐れがある。
【０００４】
第２に、外部に設けられる別のセンサを用いてゴルフクラブのスイング速度を測定する場合は、センサの位置とセンシング構造のため実際の使用が極めて不便になるか、速度測定が不可能になる状況が発生しうる。
【０００５】
一例として、信号を地面から上向きに垂直送信しゴルフクラブのクラブヘッドから反射する反射信号をセンシングする構造では、反射角度が一定でなくてセンシング自体が極めて難しく、動作にエラーが発生する可能性が高い。別の例として、ゴルフクラブが水平面上に設けられる光信号を遮断する構造では、速度測定装置のサイズが大きく固定式なので、設置あるいはユーザの必要に応じて設置位置を調節し難くてユーザの実際の使用には不便である。すなわち、従来のセンサを用いる装置はセンサが物理的に固定されるので、ユーザは固定された場所だけで用いられ、装置の設置と運用が極めて不便なので実用的でないという問題点があった。
【０００６】
また、信号を送信する側と受信する側が一体形の装置では、スイング時、打点付近が崩れやすくなる恐があり、実際ゴルフボールが置かれる位置が固定されるしかないので、ユーザの練習状況に柔軟に対処できない。
【発明の開示】
【発明が解決しようとする課題】
【０００７】
本発明は前述したような問題点を解決するために発明されたもので、その目的は光信号を送信する送信装置と光信号を受信する受信装置をそれぞれ別の装置として個別に構成して、ユーザの要求や場所によって容易に設置及び使用できるゴルフクラブのスイング速度測定装置を提供するところにある。
【課題を解決するための手段】
【０００８】
本発明に係るゴルフクラブのスイング速度測定装置は、複数の光送信部を通して光信号を出力する送信装置、及び複数の光受信部を通して前記光送信部が出力する光信号をそれぞれ受信する受信装置が互いに分離された別個の装置として構成されるところに特徴がある。この際、前記受信装置はゴルフクラブのスイングによって各光信号の受信状態が変化すれば光信号間距離として既に設定されている値Ｄを前記各光信号が遮断された時間間隔Ｔｇで割ってゴルフクラブのスイング速度を演算した後その結果を出力する。
【０００９】
前記光信号は赤外線で構成して望ましく実施できる。
【００１０】
また、ユーザはスイングする前に姿勢を整えるためにゴルフクラブをゴルフボール位置付近で上下左右に振る場合がある。このような無意味な行動による光信号受信状態の変化は排除させることが望ましい。そのための一つの望ましい例は、前記演算されたスイング速度が一定範囲内にある場合にだけスイング速度を出力する。
【００１１】
特に、前記送信装置と受信装置は互いに個別の装置として構成されるため、送信装置と受信装置が互いに光信号を送受信できる位置に適宜に整列されるべきである。このために前記受信装置は、全ての光受信部を通して光信号が受信されるかを調べて、整列がなされたか否かを表示してくれる。このような整列状態は発光ダイオード（ＬＥＤ）やディスプレイなどを用いて表示することができる。
【００１２】
一方、ユーザは正常なスイング動作に突入する前にバックスイング動作を取るようになる。この際、バックスイングを開始する時点からゴルフボールを打撃する時点までの時間間隔はユーザ毎に異なる場合があり、最適のスイングテンポを探し出すのに極めて有用な情報になる。
【００１３】
そのために、前記受信装置は前記光信号がバックスイング方向に遮断された場合は、一定時間間隔でスイングテンポを表示するよう構成できる。スイングテンポはスイングテンポ表示用発光ダイオード（ＬＥＤ）を一定時間間隔で引き続き点滅させたり、前記時間間隔によってカウントされる数字あるいは経過時間をディスプレイしたり、スピーカを通して一定効果音を出力するなどの方法を通して望ましく表示できる。
【発明を実施するための最良の形態】
【００１４】
以下、添付した図面に基づき、本発明の望ましい実施形態を詳述する。
【００１５】
図１を参照すれば、本発明に係るゴルフクラブのスイング速度測定装置１０（以下、スイング速度測定装置と称する）は送信装置２１と受信装置２２よりなるが、送信装置２１と受信装置２２は互いに独立した装置として個別に構成される。送信装置２１は複数の光信号４、５を送信し、受信装置２２はこの光信号４、５をそれぞれ受信する。
【００１６】
ユーザ１はいつ何処でもスイング速度測定装置１０を設けておき、ゴルフクラブのスイング速度を測定することができる。すなわち、ユーザがゴルフクラブ２をスイングすればゴルフクラブのヘッド部分が送信装置２１と受信装置２２との間を通り過ぎ、受信装置２２はゴルフクラブのヘッド部分が光信号４、５を遮断する状態を感知して自動にスイング速度を演算して表示する。
【００１７】
この際、ゴルフボール３が光信号４、５を遮断しないようにするため、ゴルフボール３は示されたように光信号４、５の外側に置くのが望ましい。
【００１８】
図２を参照すれば、送信装置２１の一側面には光信号４、５を出力する複数の光送信部２１−１、２１−２が具備される。スイング速度を測定するためには最小限２つの光送信部が具備されるべきであり、以下では二つの光送信部２１−１、２１−２を有する実施形態として説明する。しかし、多区間別のスイング速度測定や打撃瞬間のゴルフボール速度測定などその他の応用のためには三つ以上の光送信部が具備される。
【００１９】
受信装置２２は複数の光受信部２２−１、２２−２を通して光送信部２１−１、２１−２が出力する光信号４、５をそれぞれ受信する。この際、各光受信部２２−１、２２−２は、各光送信部２１−１、２１−２と一対一対応し、対応される光送信部で送信する光信号を受信する。すなわち、各光送信部と光受信部はその動作において対をなすようになる。
【００２０】
送信装置２１と受信装置２２が正常に整列されると、各光受信部２２−１、２２−２は、各光送信部２１−１、２１−２から出力する光信号４、５を受信する状態になり、ユーザがゴルフクラブをスイングしてゴルフクラブのヘッドが光信号４、５の間を通り過ぎると各光信号４、５の受信状態が変化する。
【００２１】
すると、受信装置２２は既に規定された距離Ｄを、各光信号４、５の受信状態が変化した時間間隔で割って、ゴルフクラブのスイング速度を演算した後表示する。ここで、既に規定された距離Ｄとは、光受信部２２−１、２２−２間の距離または光信号４、５間の距離を意味し、受信装置２２に予め設定され貯蔵されている。
【００２２】
すなわち、第１光信号４の受信状態が変化した時点と第２光信号５の受信状態が変化した時点との差異である前記時間間隔をＴｇとすれば、スイング速度ＶはＤ／Ｔｇと決定される。光信号の受信状態が何れの形態に変化する際、これをゴルフクラブのスイングによる変化として判断するか否かは必要に応じて多様に構成することができる。
【００２３】
以上述べた光信号としては赤外線を使用することが望ましい。この場合、光送信部２１−１、２１−２は赤外線を出力できる赤外線送信器を含み、光受信部２２−１、２２−２は赤外線を感知できる赤外線センサを含む。しかし、レーザなど必要に応じて多様な光信号が使え、使われる光信号に応じて該当光信号を送信あるいは受信できる構成として代替すれば済む。
【００２４】
図３を参照して送信装置と受信装置を構成する具体的な一実施形態を説明する。
【００２５】
送信装置２１は複数個の光送信部２１−１、２１−２、各光送信部２１−１、２１−２を通して光信号を出力する送信制御部２１−３、及び電源を供給する電源部２１−４を含むように構成して望ましく実施できる。
【００２６】
送信装置の電源部２１−４と受信装置の電源部２２−７は、使用上の便宜のため多様な形態で構成できる。例としてバッテリを使用するよう構成でき、外部電源（例：ＡＣ２２０Ｖ、ＡＣ１１０Ｖなど）を入力され、直流に整流して使用することもでき、再充電バッテリを使用できるようにするため再充電用回路を含むこともできる。
【００２７】
受信装置２２の各光受信部２２−１、２２−２は、送信装置２１の各光送信部２１−１、２１−２から出力する光信号（例：赤外線）をそれぞれ受信し、各光送信部２１−１、２１−２と一対一対応して動作する。
【００２８】
受信制御部２２−３は、各光受信部２２−１、２２−２の光信号受信状態によって動作する。先ず、受信制御部２２−３は、それぞれの光受信部２２−１、２２−２の全てで光信号が受信されているかを判断する。すなわち、送信装置２１と受信装置２２は個別に設置されるので、光送信部２１−１、２１−２及び光受信部２２−１、２２−２の高さと水平位置が合わなければ、光受信部２２−１、２２−２は光送信部２１−１、２１−２から出力する光信号を受信できなくなる。このような整列状態はユーザの立場では判断し難い。
【００２９】
従って、受信制御部２２−３は図４に示したように、第１光受信部２２−１に現在光信号が受信されており（Ｓ４１）、第２光受信部２２−２にも光信号が受信されていると（Ｓ４２）、現在正しく整列されていることを表示し（Ｓ４３）、そうでなければ整列されていないということを表示してくれる（Ｓ４４）。整列状態は多様な方式で表示でき、望ましくは発光ダイオード（ＬＥＤ）２２−６の点灯を通して整列されたことを知らせてくれるか、整列されているか否かを知らせるメッセージを出力することができる。
【００３０】
また、受信制御部２２−３は、それぞれの光信号４、５に対する受信状態が一定条件を満たす状態に変化するかを判断する。この際、受信制御部２２−３は各光受信部２２−１、２２−２について光信号が正常的に受信される状態から遮断状態に変化した後、再び正常的に受信される場合に該当光受信部で前記条件を満たす光信号受信状態の変化が発生したと判断することができる。
【００３１】
演算部２２−４は、それぞれの光信号受信状態が変ると既に規定された距離Ｄを各光信号が遮断された時間間隔Ｔｇで割ってスイング速度を演算する。演算されたスイング速度は、速度表示部２２−５を通して出力されユーザが分かる。
【００３２】
このような役割を果たす受信制御部２２−３と演算部２２−４は、マイコン（あるいはＣＰＵ）とそれに内蔵されたコンピュータプログラムを用いて望ましく構成できる。
【００３３】
速度表示部２２−５は使用上の便宜のため、多様に構成することができる。一例を挙げると、ディスプレイ手段としてセブンセグメントやＬＣＤモジュールを用いてスイング速度を視覚的に表示することもできる。他の例として、音声出力手段を用いてスイング速度を音声で案内することもできる。音声で案内するためには各数字に対する音源を貯蔵しており、スイング速度を構成する各数字を該当音源によって合成してスピーカを通して再生できる。すなわち、スイング速度が‘１２８’ならば’１’と‘２’と’８’に該当する音源‘百’、‘二’、‘十’、‘八’と単位を示す‘キロメートル’を音声で合成して出力できる。このような音声合成は任意の技術を用いて具現すれば良いので、詳細な説明は省く。
【００３４】
さて、図５を参照してスイング速度測定装置の全体的な動作過程を説明する。
【００３５】
ユーザがゴルフクラブをスイングすれば、ゴルフクラブが光信号４、５を遮断しながら通り過ぎる。これにより受信制御部２２−３は第１光受信部２２−１における光信号受信状態が変化することを感知して、その時の時間ｔ１を記録する（Ｓ５１）。
【００３６】
また、第２光受信部２２−２における光信号受信状態が変化することを感知して、その際の時間ｔ２を記録する（Ｓ５２）。
【００３７】
この際、第１光受信部２２−１と第２光受信部２２−２における光信号受信状態は、図６に示した例のように変化する。すなわち、第１光受信部２２−１については第１光信号４が受信されている状態でゴルフクラブのヘッド部分が通り過ぎると、ｋ０の時点で遮断状態に変化し、この遮断状態が一定時間持続された後、ｋ１の時点で再び光信号受信状態に変化する。ｋ１における状態変化は受信制御部２２−３の性能によってΔほど通り過ぎて認識される。また、第２光受信部２２−２については第２光信号５が受信されている状態でゴルフクラブのクラブのヘッド部分が通り過ぎると、ｋ２の時点で遮断状態に変化し、この遮断状態が一定時間持続された後、ｋ３の時点で再び光信号受信状態に変化する。ｋ３における状態変化は受信制御部２２−３の性能によってΔほど通り過ぎて認識される。
【００３８】
従って、各光受信部で光信号の受信状態が変化した時点ｔ１、ｔ２は多様に設定することができる。図６の例から見ると、ｔ２はｋ２、ｋ３、あるいはｋ３＋Δなどに設定でき、ｔ１はｋ０、ｋ１、ｋ１＋Δなどに設定できる。
【００３９】
演算部２２−４は、Ｄ／（ｔ２−ｔ１）の式を用いてゴルフクラブのスイング速度を演算し（Ｓ５３）、演算されたスイング速度は速度表示部２２−５を通して表示される（Ｓ５４）。ここで、‘ｔ２−ｔ１’は必要に応じてｋ３−ｋ１、ｋ２−ｋ１、ｋ２−ｋ０など任意に設定できるが、ｋ３−ｋ１に設定することが最適である。
【００４０】
スイング速度の出力は、光信号受信状態がユーザのゴルフクラブのスイングによって発生したと見做せる場合だけなされるようにすることが望ましい。すなわち、ユーザが姿勢を整えるために打点付近でゴルフクラブを上下左右に振る場合が発生する光信号受信状態の変化のように、無意味な状況は排除することが望ましい。
【００４１】
そのための一つの例は、演算されたスイング速度が既に規定された最小速度以上の場合にだけ出力することである。ここで最小速度とは、ユーザが正常にスイングした時の最小速度と判定できる任意の値であって、受信装置２２内で既に規定された値に設定されている。また、最小速度との比較以外にも速度比較と同一の意味を有する他の方法を用いられることは自明である。その一つの例は、各光信号受信状態変化時点の時間間隔（例：ｔ２−ｔ１）が一定値以下であるかを判断することもできる。
【００４２】
また、スイング速度の演算と演算された速度の出力は、スイング速度測定装置１０が正しく整列され正常的に動作する時だけその意味があるので、送信装置２１と受信装置２２が整列された状態の時だけ、スイング速度の演算と演算された速度の出力がなされるよう構成することが望ましい。
【００４３】
一方、ユーザは右利きユーザでも左利きユーザでもありうるが、ユーザが右利きユーザであるかあるいは左利きユーザであるかによってスイング時の光信号状態変化の順序が異なる。一例として、右利きユーザの場合は第１光受信部２２−１で先に光信号受信状態変化を感知し、追って第２光受信部２２−２で光信号受信状態変化を感知するようになる。
【００４４】
しかし、左利きユーザの場合は第２光受信部２２−２で先に光信号受信状態変化を感知し、追って第１光受信部２２−１で光信号受信状態変化を感知するようになる。
【００４５】
従って、受信装置２２は右利きユーザ用として設定されていると、スイング時第１光受信部２２−１で先に光信号受信状態の変化が発生するとして処理し、左利きユーザ用として設定されていると、スイング時第２光受信部２２−２で先に光信号受信状態変化が発生するとして処理する。すなわち、左利きユーザ用に設定されている場合は、Ｄ／（ｔ１−ｔ２）を用いてゴルフクラブのスイング速度を演算するようになる。
【００４６】
一方、ユーザがスイングを行なうときは当然バックスイングがなされるが、ゴルフボール付近でバックスイングを始めて最終的にゴルフボールを打撃するまで所要される時間は、スイングテンポを直すのに極めて大事な役割を果たす。この時間は各ユーザ毎に異なる場合があるもので、あるユーザがこの時間が５秒の時最良の打撃になったとすれば、このユーザは常にその状態を維持させることが望ましい。従って、スイング速度測定装置１０はこの情報を表示してくれるように構成すればさらに望ましく実施できる。
【００４７】
このため、受信装置２２は光信号の受信状態変化がバックスイング方向よりなる場合は一定時間間隔毎にスイングテンポを表示してくれるようにする。ここで、バックスイング方向とは第２光受信部２２−２の状態変化時点が第１光受信部２２−１の状態変化時点より先立つ場合を意味する。
【００４８】
この際、スイング速度測定装置１０が左利きユーザ用と設定されている場合なら、バックスイング方向は第１光受信部２２−１の状態変化時点が第２光受信部２２−２の状態変化時点より先立つ場合を意味することは勿論である。
【００４９】
図７を参照してスイングテンポを表示してくれる一実施形態を説明する。受信制御部２２−３はバックスイング方向で測定された速度、すなわち一定距離Ｄを第１光受信部２２−１に関する状態変化時点ｔ１と第２光受信部２２−２に関する状態変化時点ｔ２との差異値（ｔ１−ｔ２）で割った逆方向速度が最小速度以上であるかを判断する（Ｓ７１）。ここで最小速度とはユーザがバックスイングを始める時点で最小の速度と判定できる任意の値であって、受信装置２２内で既に規定された値に設定されている。
【００５０】
そして、受信制御部２２−３は逆方向速度が最小速度以上の場合は、スイングテンポを一定間隔で表示し始める（Ｓ７２）。スイングテンポはユーザの便宜のために多様な方法で表示することができる。例えば、一定時間間隔で該当発光ダイオード（ＬＥＤ）を点灯したり、スピーカを通して一定音響を出力したり、カウント数あるいは経過時間などをディスプレイできる。
【００５１】
スイングテンポはバックスイング後、正常なスイングが終了してスイング速度が速度表示部２２−５に出力されたり、あるいはカウント数が一定回数以上になるまで引き続き出力してから（Ｓ７３、Ｓ７４）、スイングテンポの表示を終了する（Ｓ７５）。ここで、カウント数が一定回数以上になることはユーザがバックスイングを始めた後いずれか理由によって正常なスイングを行なわなくて一定時間経過した場合を意味する。
【００５２】
このような実施例を通してユーザは、バックスイングをするためにゴルフクラブを逆方向に移動させた時からスイングテンポを知らせる表示と接することができ、スイングテンポの表示によって自分に最適のスイングタイミングを身に付けられるようになる。
【００５３】
本発明は前述した実施形態に限らず、本発明の技術的思想を逸脱しない範囲内で、当業者によって多様に変形して実施できることは勿論である。
【産業上の利用可能性】
【００５４】
本発明に係るスイング速度測定装置は、光信号を送信する装置と受信する装置が独立した別の装置で構成される。これにより、携帯と設置及び使用が極めて便利である。また、本発明はゴルフクラブ自体を変更させないのでユーザはいずれのゴルフクラブを使っても構わない。
【００５５】
特に、ユーザの実際練習状況を考慮してユーザが姿勢を直すためにゴルフクラブを上下左右に振る場合のように無意味なゴルフクラブの移動を無視できるよう処理すればさらに正確な動作が可能になる。
【００５６】
しかも、ユーザのバックスイングの開始時から正常的なスイングがなされるまでのスイングテンポをよく分かるように表示してくれると、全体スイング時間に関して最も望ましい姿勢を身に付けるようになる。
【図面の簡単な説明】
【００５７】
【図１】本発明の使用状態に関する概要図である。
【図２】本発明の構造に関する概要図である。
【図３】本発明の構成に関する望ましい一実施形態を示す図である。
【図４】送信装置と受信装置の整列状態を表示する一実施形態を示す。
【図５】受信装置の全体動作に関する一実施形態を示す。
【図６】光信号受信状態の変化に関する概要を示す。
【図７】バックスイング開始時からスイングテンポを出力する一実施形態の流れ図である。
【符号の説明】
【００５８】
２        ゴルフクラブ
４、５    光信号
１０      スイング速度測定装置
２１      送信装置
２１−１、２２−２    光送信部
２１−３  送信制御部
２１−４  電源部
２２      受信装置
２２−１、２２−２    光受信部
２２−３  受信制御部
２２−４  演算部
２２−５  速度表示部
２２−６  ＬＥＤ
２２−７  電源部
【図１】
2006026385.tif 000003
【図２】
2006026385.tif 000004
【図３】
2006026385.tif 000005
【図４】
2006026385.tif 000006
【図５】
2006026385.tif 000007
【図６】
2006026385.tif 000008
【図７】
2006026385.tif 000009